(57)【要約】【課題】表示態様を変更するための操作を行う煩わしさの少ない２画面を有する折り畳み可能な表示装置を提供する。【解決手段】スマートフォン１は軸周りに回転可能に連結された２つの筐体に各々保持される２つの画面を有する表示装置である。ユーザが操作部１００に対し行ったアプリの起動を指示する操作に応じて選択部１０１が当該アプリを選択すると、実行部１０２は当該アプリを実行する。表示制御部１０５は、開き具合検知部１０３により検知された２つの筐体の開き具合と、傾き検知部１０４により検知された２つの筐体の鉛直方向に対する傾きに基づき、記憶部１０６に記憶されているデータに従い、実行部１０２が実行するアプリの画像を２つの画面のいずれに表示させるかを決定する。表示部１０７は表示制御部１０５の決定に従い２つの画面のいずれか一方又は両方にアプリの画面を表示する。【選択図】図４
2019067308.tif 000002
【特許請求の範囲】
【請求項１】
軸周りに回転可能に連結された第１筐体及び第２筐体と、
前記第１筐体に保持された第１画面及び前記第２筐体に保持された第２画面と、
複数のアプリケーションの中から選択されたアプリケーションに従う処理を実行する実行部と、
前記実行部によるアプリケーションに従う処理に伴い生成される画像を、当該アプリケーションに応じて前記第１画面及び前記第２画面の中から選択した１つ又は２つの画面に表示させる表示制御部と
を備える表示装置。
【請求項２】
前記軸周りの回転に伴い変化する前記第１筐体と前記第２筐体の開き具合を検知する開き具合検知部
を備え、
前記表示制御部は、前記実行部によるアプリケーションに従う処理に伴い生成される画像を、当該アプリケーションと前記開き具合検知部により検知されている開き具合の組み合わせに応じて前記第１画面及び前記第２画面の中から選択した１つ又は２つの画面に表示させる
請求項１に記載の表示装置。
【請求項３】
前記第１筐体及び前記第２筐体の鉛直方向に対する傾きを検知する傾き検知部
を備え、
前記表示制御部は、前記実行部によるアプリケーションに従う処理に伴い生成される画像を、当該アプリケーションと前記開き具合検知部により検知されている開き具合と前記傾き検知部により検知されている傾きとの組み合わせに応じて前記第１画面及び前記第２画面の中から選択した１つ又は２つの画面に表示させる
請求項２に記載の表示装置。
【請求項４】
前記表示制御部は、前記実行部によるアプリケーションに従う処理に伴い生成される画像を前記第１画面及び前記第２画面の中から選択した１つ又は２つの画面に表示させる際、当該アプリケーションに応じた方向で当該画像を表示させる
請求項１乃至３のいずれか１項に記載の表示装置。
【請求項５】
前記表示制御部は、前記実行部によるアプリケーションに従う処理に伴い生成される画像を前記第１画面及び前記第２画面の両方に表示させる場合、前記第１画面及び前記第２画面を１つの画面とみなして当該画像を表示させるか、もしくは、前記第１画面及び前記第２画面の各々に当該画像の全体を表示させるかを、当該アプリケーションに応じて決定する
請求項１乃至４のいずれか１項に記載の表示装置。
【発明の詳細な説明】
【技術分野】
【０００１】
本発明は、ユーザインターフェースの技術に関する。
【背景技術】
【０００２】
複数のディスプレイを備えた情報端末において、複数のアプリケーションを起動させるときの操作性を改善する技術が提案されている。例えば、特許文献１には、展開可能に収容された複数の表示装置を有し、各表示装置の展開毎に、優先順位が設定されたテーブルを参照して、いずれのアプリケーションを実行するかを決定する情報端末が提案されている。
【先行技術文献】
【特許文献】
【０００３】
【特許文献１】特開２００３−３１６５６３号公報
【発明の概要】
【発明が解決しようとする課題】
【０００４】
２画面を有する折り畳み可能な表示装置を利用する場合、アプリケーションの画像を２画面に表示させる表示態様とアプリケーションの画像をいずれか一方の画面のみに表示させる表示態様が考えられる。ユーザが２画面に表示させたいと思うアプリケーションの画像がいずれか一方の画面のみに表示されると、ユーザは画像の表示態様を変更するための操作を行う必要がある。ユーザがいずれか一方の画面のみに表示させたいと思うアプリケーションの画像が２画面に表示される場合も同様に、ユーザは画像の表示態様を変更するための操作を行う必要がある。
【０００５】
本発明は、上記の事情に鑑み、表示態様を変更するための操作を行う煩わしさの少ない２画面を有する折り畳み可能な表示装置を提供することを目的とする。
【課題を解決するための手段】
【０００６】
上記目的を達成するために、本発明は、軸周りに回転可能に連結された第１筐体及び第２筐体と、前記第１筐体に保持された第１画面及び前記第２筐体に保持された第２画面と、複数のアプリケーションの中から選択されたアプリケーションに従う処理を実行する実行部と、前記実行部によるアプリケーションに従う処理に伴い生成される画像を、当該アプリケーションに応じて前記第１画面及び前記第２画面の中から選択した１つ又は２つの画面に表示させる表示制御部とを備える表示装置を提供する。
【０００７】
上記の表示装置において、前記軸周りの回転に伴い変化する前記第１筐体と前記第２筐体の開き具合を検知する開き具合検知部を備え、前記表示制御部は、前記実行部によるアプリケーションに従う処理に伴い生成される画像を、当該アプリケーションと前記開き具合検知部により検知されている開き具合の組み合わせに応じて前記第１画面及び前記第２画面の中から選択した１つ又は２つの画面に表示させる、という構成が採用されてもよい。
【０００８】
また、上記の表示装置において、前記第１筐体及び前記第２筐体の鉛直方向に対する傾きを検知する傾き検知部を備え、前記表示制御部は、前記実行部によるアプリケーションに従う処理に伴い生成される画像を、当該アプリケーションと前記開き具合検知部により検知されている開き具合と前記傾き検知部により検知されている傾きとの組み合わせに応じて前記第１画面及び前記第２画面の中から選択した１つ又は２つの画面に表示させる、という構成が採用されてもよい。
【０００９】
また、上記の表示装置において、前記表示制御部は、前記実行部によるアプリケーションに従う処理に伴い生成される画像を前記第１画面及び前記第２画面の中から選択した１つ又は２つの画面に表示させる際、当該アプリケーションに応じた方向で当該画像を表示させる、という構成が採用されてもよい。
【００１０】
また、上記の表示装置において、前記表示制御部は、前記実行部によるアプリケーションに従う処理に伴い生成される画像を前記第１画面及び前記第２画面の両方に表示させる場合、前記第１画面及び前記第２画面を１つの画面とみなして当該画像を表示させるか、もしくは、前記第１画面及び前記第２画面の各々に当該画像の全体を表示させるかを、当該アプリケーションに応じて決定する、という構成が採用されてもよい。
【発明の効果】
【００１１】
本発明によれば、２画面を有する折り畳み可能な表示装置を用いるユーザは、表示態様を変更するための操作を行う煩わしさが少ない。
【図面の簡単な説明】
【００１２】
【図１】実施例に係るスマートフォンの外観を表す図。
【図２】実施例に係るスマートフォンのハードウェア構成を表す図。
【図３】実施例に係るスマートフォンのスタイルの例を表す図。
【図４】実施例に係るスマートフォンの機能構成を表す図。
【図５】実施例に係るスタイル条件テーブルの一例を表す図。
【図６】実施例に係る表示規則テーブルの一例を表す図。
【図７】実施例に係るスマートフォンがアプリの画像を表示するために行う処理のフローを表した図。
【発明を実施するための形態】
【００１３】
［１］実施例
図１は実施例に係るスマートフォン１の外観を表す。スマートフォン１は、第１筐体１０と、第２筐体２０と、ヒンジ３０とを有する本体４０を備える。第１筐体１０及び第２筐体２０は、いずれも直方体の板状の形をした筐体である。第１筐体１０は長方形の形をした第１画面１１を保持し、第２筐体２０は長方形の形をした第２画面２１を保持する。
【００１４】
第１画面１１には、電話の音声が出力されるスピーカ口１２が設けられている。第１画面１１及び第２画面２１は物理的に分離されている画面である。第１筐体１０及び第１画面１１は本発明の「第１筐体」及び「第１画面」の一例であり、第２筐体２０及び第２画面２１は本発明の「第２筐体」及び「第２画面」の一例である。なお、「第１」、「第２」という呼び方は便宜上のものであり、この対応関係に限定されるものではない。例えばスピーカ口１２が設けられている方の筐体を本発明の「第２筐体」の一例としても構わない。
【００１５】
ヒンジ３０は、第１筐体１０及び第２筐体２０を軸周りに回転可能に連結するいわゆる蝶番である。ヒンジ３０は、回転軸を中心に回転可能な第１回転部材及び第２回転部材を有する。第１回転部材には、第１筐体１０のうちの第１画面１１の長辺側の端部１３が固定され、第２回転部材には、第２筐体２０のうちの第２画面２１の長辺側の端部２２が固定されている。
【００１６】
ヒンジ３０が回転することで、第１筐体１０及び第２筐体２０は、第１画面１１及び第２画面２１の成す角度（以下「ヒンジ角度」という）が０度となる閉じた状態から、ヒンジ角度が１８０度となる開いた状態を経て、ヒンジ角度が３６０度になって反対側に閉じた状態まで回転する。スマートフォン１では、ヒンジ角度が０度で筐体が閉じた状態では第１画面１１及び第２画面２１が外側を向き、ヒンジ角度が３６０度で筐体が反対側に閉じた状態では第１画面１１及び第２画面２１が内側を向くようになっている。
【００１７】
第１筐体１０及び第２筐体２０はいずれも板状の形をしているから、ヒンジ角度は第１筐体１０及び第２筐体２０の成す角度にもなる。ヒンジ角度は、本体４０の開き具合、すなわち第１筐体１０及び第２筐体２０の開き具合を表す値である。ヒンジ角度を１８０度から０度又は３６０度にすると、第１筐体１０及び第２筐体２０が折り畳まれた形になる。このように、ヒンジ３０は、第１筐体１０及び第２筐体２０を折り畳み可能に連結する。ヒンジ３０は本発明の「連結部」の一例である。
【００１８】
図２はスマートフォン１のハードウェア構成を表す。スマートフォン１は、プロセッサ２と、メモリ３と、ストレージ４と、通信装置５と、入力装置６と、出力装置７と、センサ群８と、バス９というハードウェアを備えるコンピュータである。これらのハードウェアは概ね本体４０の内部に収められているが、画面のように一部外部に露出しているハードウェアもある。なお、ここでいう「ハードウェア」という文言は、物理的な構成要素を意味し、回路、デバイス、ユニット等を広く含む。
【００１９】
プロセッサ２は、例えば、オペレーティングシステム（Operating System、以下「ＯＳ」という）を動作させてコンピュータ全体を制御する。プロセッサ２は、周辺装置とのインターフェース、制御装置、演算装置、レジスタなどを含む中央処理装置（ＣＰＵ：Central Processing Unit）で構成されてもよい。また、プロセッサ２は、ＯＳ及び各種のアプリケーション（以下では簡単に「アプリ」ともいう）を含むプログラム（プログラムコード）、ソフトウェアモジュール及びデータ等を、ストレージ４及び／又は通信装置５からメモリ３に読み出し、これらに従って各種の処理を実行する。
【００２０】
プロセッサ２の種別は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、及び、ＦＰＧＡ（Field Programmable Gate Array）等のいずれであってもよい。
【００２１】
プロセッサ２は、アプリケーションとして、例えばブラウザ、ＳＮＳ（Social Networking Service）アプリ、電子メールアプリ、電話アプリ、電話帳アプリ、地図アプリ、動画再生アプリ、書籍閲覧アプリ、文書作成アプリ、カメラアプリ等を実行する。プロセッサ２の数は１つでもよいし、２以上であってもよく、２以上のプロセッサ２は、同時又は逐次に各種処理を実行してもよい。また、プロセッサ２は、１以上のチップで実装されてもよい。プログラムは、電気通信回線を介してネットワークから送信されてもよい。
【００２２】
メモリ３は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）及びＲＡＭ（Random Access Memory）等の少なくとも１つで構成されてもよい。メモリ３は、レジスタ、キャッシュ及びメインメモリ（主記憶装置）等と呼ばれる装置のいずれであってもよい。メモリ３は、前述したプログラム（プログラムコード）、ソフトウェアモジュール及びデータ等を保存することができる。メモリ３は主記憶装置と呼ばれる場合がある。
【００２３】
ストレージ４は、コンピュータが読み取り可能な記録媒体であり、例えば、ハードディスクドライブ、フレキシブルディスク、フラッシュメモリ（例えば、カード、スティック、キードライブ）、磁気ストリップなどのいずれであってもよい。ストレージ４は補助記憶装置と呼ばれる場合がある。
【００２４】
通信装置５は、有線及び／又は無線ネットワークを介してコンピュータ間の通信を行うためのハードウェアであり、例えばネットワークデバイス、ネットワークコントローラ、ネットワークカード、通信モジュールなどと呼ばれる場合がある。入力装置６は、外部からの入力を受け付ける入力デバイスであり、例えば、マイクロフォン、スイッチ、ボタン、タッチセンサなどが含まれる。出力装置７は、外部への出力を実施する出力デバイスであり、例えば、ディスプレイ、スピーカ、ＬＥＤランプなどが含まれる。なお、スマートフォン１は、入力装置６の一部であるタッチセンサと、出力装置７の一部であるディスプレイが一体となったタッチスクリーンを有している。
【００２５】
センサ群８は、各種のセンサの集まりである。センサ群８には、第１筐体１０と第２筐体２０の開き具合を検知するためのセンサとして、例えばヒンジ３０に設けられた歪みセンサが含まれる。
【００２６】
また、センサ群８には、第１筐体１０及び第２筐体２０の鉛直方向に対する傾きを検知するためのセンサとして、例えば３軸の加速度センサを有する。第１筐体１０の傾きは、鉛直方向に対する２つの基準方向の角度によって特定され、第２筐体２０の傾きは、第１筐体１０の傾きと、歪みセンサによって特定される第１筐体１０と第２筐体２０の開き具合とによって特定される。
【００２７】
第１筐体１０の傾きを特定するために用いられる２つの基準方向として、例えば、図１に表す第１画面１１の中心Ｐ１から延びる法線の方向（以下、「基準方向Ａ１」という）と、中心Ｐ１から第１画面１１の長辺に沿ってスピーカ口１２に向かう方向（以下、「基準方向Ａ２」という）が用いられる。
【００２８】
コンピュータが備えるプロセッサ２、メモリ３等の各装置はバス９を介してデータの受け渡しを行う。バス９は、単一のバスで構成されてもよいし、特定の装置間を個別に接続する複数のバスで構成されてもよい。
【００２９】
スマートフォン１は、第１筐体１０と第２筐体２０の開き具合と、第１筐体１０及び第２筐体２０の鉛直方向に対する傾きの組み合わせに応じた複数の形態で使用される。それらの形態を以下、「スタイル」と呼ぶ。
【００３０】
図３はスマートフォン１のスタイルの例を表す。図３（ａ）〜（ｄ）には、ヒンジ３０の長手方向から見たスマートフォン１が表されている。図３（ａ）に表すように本体４０の開き具合（ヒンジ角度）が１８０度である場合を「全開スタイル」という。本体４０の開き具合が１８０度であれば、本体４０の傾きに関係なく全開スタイルである。
【００３１】
図３（ｂ）に表すように本体４０の開き具合が０度である場合を「全閉スタイル」という。この場合も、本体４０の傾きに関係なく全閉スタイルである。図３（ｃ）に表すように本体４０の開き具合が２４０度程度（例えば２４０度±２０度）であり、且つ、基準方向Ａ１が概ね鉛直上方（鉛直方向に対し、例えば０度±１０度）を向き、基準方向Ａ２が概ね水平方向（水平方向に対し、例えば０度±１０度）を向いている場合を、ノートＰＣ（Prsonal Coputer）を利用するときの形に似ているので「ノートＰＣスタイル」という。
【００３２】
図３（ｄ）に表すように本体４０の開き具合が６０度程度（例えば６０度±１０度）であり、且つ、基準方向Ａ１が水平方向に対して３０度程度鉛直上方（鉛直方向に対し、例えば３０度±１０度）を向き、基準方向Ａ２が概ね水平方向（水平方向に対し、例えば０度±１０度）を向いている場合を、テントの形に似ているので「テントスタイル」という。
【００３３】
図３（ｅ）には斜め上方から見たスマートフォン１が表されている。図３（ｅ）に表すように本体４０の開き具合が９０度程度（例えば９０度±４５度を許容）であり、且つ、基準方向Ａ１が概ね水平方向（水平方向に対し、例えば０度±１０度）を向き、基準方向Ａ２が概ね鉛直上方又は鉛直下方（鉛直方向に対し、例えば０度±１０度又は１８０度±１０度）を向いている場合を「縦置きスタイル」という。
【００３４】
図４はスマートフォン１の機能構成を表す。すなわち、スマートフォン１のプロセッサ２がプログラムを実行して各部を制御することで図４に示される機能構成部が実現される。以下にスマートフォン１の機能構成部を説明する。
【００３５】
操作部１００はユーザの操作を受け付ける。操作部１００は、主として入力装置６、センサ群８に含まれる歪みセンサ及び加速度センサ、プロセッサ２により実現される。操作部１００が受け付ける操作には、例えばタッチディスプレイに対する特定のアプリを選択するためのタッチ操作や、第１筐体１０と第２筐体２０の開き具合を変更する操作、本体４０の傾きを変更する操作等が含まれる。
【００３６】
選択部１０１は操作部１００に対しユーザにより行われた操作に応じて、実行部１０２が実行可能な複数のアプリの中から、第１画面１１及び第２画面２１の少なくとも一方に画像を表示する対象のアプリを選択する。選択部１０１は、主としてプロセッサ２により実現される。
【００３７】
実行部１０２は選択部１０１により選択されたアプリに従う処理を実行する。実行部１０２は、主としてプロセッサ２により実現される。開き具合検知部１０３はヒンジ３０の回転軸周りの回転に伴い変化する第１筐体１０と第２筐体２０の開き具合を検知する。開き具合検知部１０３は、主としてセンサ群８に含まれる歪みセンサとプロセッサ２により実現される。傾き検知部１０４は第１画面１１及び第２画面２１の傾きを検知する。開き具合検知部１０３は、主としてセンサ群８に含まれる加速度センサとプロセッサ２により実現される。
【００３８】
表示制御部１０５は実行部１０２によるアプリに従う処理に伴い生成される画像（以下、「アプリの画像」という）を、当該アプリに応じて第１画面１１及び第２画面２１の中から選択した１つ又は２つの画面に表示させる。表示制御部１０５は、主としてプロセッサ２により実現される。
【００３９】
表示制御部１０５は、一部のアプリに関して、アプリと、開き具合検知部１０３により検知されている開き具合との組み合わせに応じて、アプリの画像を第１画面１１及び第２画面２１の中から選択した１つ又は２つの画面に表示させる。また、表示制御部１０５は、一部のアプリに関して、アプリと、開き具合検知部１０３により検知されている開き具合と、傾き検知部１０４により検知されている傾きとの組み合わせに応じて、アプリの画像を第１画面１１及び第２画面２１の中から選択した１つ又は２つの画面に表示させる。
【００４０】
記憶部１０６は表示制御部１０５がアプリの画像の表示態様を決定するために用いるデータを記憶する。記憶部１０６に記憶されるデータについては後述する。記憶部１０６は、主としてストレージ４により実現される。
【００４１】
表示部１０７は表示制御部１０５の制御下で実行部１０２が実行するアプリの画像を表示する。表示部１０７は、主として第１画面１１及び第２画面２１により実現される。
【００４２】
記憶部１０６には、表示制御部１０５がアプリの画像の表示態様を決定するために用いるデータとして、スタイル条件テーブルと表示規則テーブルを記憶している。図５はスタイル条件テーブルの一例を表す。スタイル条件テーブルは、スマートフォン１のスタイルを特定するための条件を示すデータを格納している。例えば、図５の第１行に格納されるデータは、スマートフォン１のスタイルが全開スタイルであるためには、第１筐体１０と第２筐体２０の開き具合（ヒンジ角度）が１８０度であり、第１筐体１０及び第２筐体２０の傾きについては条件がないことを示している。
【００４３】
図６は表示規則テーブルの一例の一部を表す。表示規則テーブルは、スマートフォン１がアプリの画像を表示する際の表示態様と画像の方向を決定するための規則を示すデータを格納している。
【００４４】
表示態様には、第１画面１１と第２画面２１を１つの画面とみなして画像を表示する表示態様である「全画面モード」、第１画面１１及び第２画面２１のいずれか一方の画面のみに画像を表示する「単画面モード」、第１画面１１及び第２画面２１の各々に同じ画像の全体を表示する「クローンモード」がある。また、画像の方向には、第１画面１１又は第２画面２１の長手方向を上下方向とする「縦方向」と、第１画面１１又は第２画面２１の長手方向を左右方向とする「横方向」と、画像の上下方向が鉛直方向に近づくように傾きに応じて縦方向又は横方向が自動選択される「自動回転」がある。
【００４５】
例えば、図６の第１行に格納されるデータは、全開スタイルにおいて動画再生アプリの画面は全画面モードで表示され、その際の画像の方向は第１画面１１及び第２画面２１の傾きに応じて決定されることを示している。
【００４６】
図７は上述した構成を備えるスマートフォン１に対しユーザが特定のアプリ（以下、「アプリＸ」とする）の起動を指示する操作を行った際に、スマートフォン１がアプリＸの画像を表示するために行う処理のフローを表した図である。
【００４７】
まず、操作部１００はユーザによりアプリＸの起動を指示する操作が行われたことを検知する（ステップＳ１１）。続いて、選択部１０１は、操作部１００が検知した操作が示すユーザの指示に従い、実行部１０２が実行可能な複数のアプリの中から、実行対象のアプリとしてアプリＸを選択する（ステップＳ１２）。
【００４８】
続いて、開き具合検知部１０３は、第１筐体１０と第２筐体２０の開き具合を検知する（ステップＳ１３）。ステップＳ１４と並行して、傾き検知部１０４は第１筐体１０及び第２筐体２０の傾きを検知する（ステップＳ１４）。
【００４９】
続いて、表示制御部１０５は、記憶部１０６に記憶されているスタイル条件テーブル（図５）を参照し、ステップＳ１３において検知された開き具合と、ステップＳ１４において検知された傾きとに基づき、スマートフォン１のスタイルを特定する（ステップＳ１５）。
【００５０】
続いて、表示制御部１０５は、記憶部１０６に記憶されている表示規則テーブル（図６）を参照し、ステップＳ１２において選択されたアプリＸに応じたデータが示す規則に従い、ステップＳ１５において特定されたスタイルに応じた表示態様及び画像の方向を特定する（ステップＳ１６）。
【００５１】
続いて、表示制御部１０５は、ステップＳ１６において特定した表示態様及び方向でアプリＸの画像を表示するように表示部１０７に指示する（ステップＳ１７）。その後、表示部１０７は実行部１０２により実行されるアプリＸの画像を、表示制御部１０５により指示された表示態様及び方向で表示する。
【００５２】
上述したスマートフォン１によれば、アプリに応じて、第１画面１１及び第２画面２１のうちの１つ又は２つの画面が画像の表示に用いられる画面として選択される。従って、ユーザがアプリに応じて使用する画面を選択する煩わしさが軽減される。
【００５３】
また、上述したスマートフォン１によれば、一部のアプリに関しては、アプリと開き具合との組み合わせに応じて、第１画面１１及び第２画面２１のうちの１つ又は２つの画面が画像の表示に用いられる画面として選択される。従って、ユーザが同じアプリに関し、開き具合に応じて使用する画面を選択する煩わしさが軽減される。
【００５４】
また、上述したスマートフォン１によれば、一部のアプリに関しては、アプリと開き具合と傾きとの組み合わせに応じて、第１画面１１及び第２画面２１のうちの１つ又は２つの画面が画像の表示に用いられる画面として選択される。従って、ユーザが同じアプリに関し、開き具合及び傾きの組み合わせに応じて使用する画面を選択する煩わしさが軽減される。
【００５５】
また、上述したスマートフォン１によれば、アプリに応じた方向で画像が表示される。従って、ユーザがアプリに応じて画像の表示の方向を選択する煩わしさが軽減される。
【００５６】
また、上述したスマートフォン１によれば、アプリの画像が第１画面１１と第２画面２１の両方に表示される場合、第１画面１１と第２画面２１を１つの画面とみなして画像を表示させる全画面モードで表示するか、第１画面１１と第２画面２１の各々に同じ画像の全体を表示させるクローンモードで表示するかが、当該アプリに応じて決定される。従って、ユーザがアプリに応じて全画面モードとクローンモードのいずれかを選択する煩わしさが軽減される。
【００５７】
［２］変形例
上述した実施例は本発明の実施の一例に過ぎず、様々に変形されてよい。以下にそれらの変形の例を示す。なお、以下の変形例の２以上が適宜組み合わされてもよい。
【００５８】
［２−１］表示態様及び方向を変更するトリガ
上述した実施例において、スマートフォン１がアプリの画像の表示態様及び表示する方向を決定するための処理（図７）を実行するトリガは、ユーザによるアプリの実行を指示する操作の検知であるものとした。当該トリガはユーザによるアプリの実行を指示する操作の検知に限られず、他の様々なイベントが当該トリガとして採用されてもよい。
【００５９】
例えば、既に実行中であるが画像が表示されていないアプリ、すなわちバックグラウンドで実行されているアプリの画像の表示を指示する操作の検知をトリガとして、当該アプリの画像の表示態様及び表示の方向が決定されてもよい。また、既に実行中であり、第１画面１１及び第２画面２１のいずれかに表示されているがアクティブでない状態のアプリをアクティブにする操作の検知をトリガとして、当該アプリの画像の表示態様及び表示の方向が決定されてもよい。
【００６０】
また、ユーザにより第１筐体１０と第２筐体２０の開き具合、及び、第１筐体１０及び第２筐体２０の傾きの少なくとも一方の変更に伴い、スマートフォン１のスタイルの変更が検知されたことをトリガに、実行中のアプリ（又は、当該トリガに応じて起動されたアプリ）の画像の表示態様及び表示の方向が決定されてもよい。
【００６１】
［２−２］表示規則テーブルの変更
表示規則テーブルに格納されているデータが、ユーザの操作に応じて変更されてもよい。例えば、スマートフォン１は機能構成部として変更部を備え、ユーザがスマートフォン１に対し表示規則テーブルの内容を編集する操作を行うと、変更部が当該操作に応じて、記憶部１０６に記憶されている表示規則テーブルのデータを変更する構成が採用されてもよい。
【００６２】
また、ユーザがアプリに応じて過去に選択した画像の表示態様及び表示の方向の少なくとも一方の統計量に基づき、変更部が表示規則テーブルのデータを変更する構成が採用されてもよい。
【００６３】
例えば、図６の例に従う場合、動画再生アプリが全開スタイルで起動されると、動画再生アプリの画像は全画面モードで表示され、その表示の方向は自動回転機能により決定される。例えば、ユーザが動画再生アプリを起動した後、連続して所定回数以上、表示態様を全画面モードから単画面モードに変更し、また、表示の方向を自動回転から横方向に変更する操作を行ったとする。
【００６４】
この場合、このユーザは動画再生アプリの画面を全画面モードではなく単画面モードで見たいと思うことが多く、また、画像の表示の方向が第１画面１１及び第２画面２１の傾きに応じて変更されることを好まない、と推定される。従って、この場合、変更部が、全開スタイル時には動画再生アプリの画像を単画面モード且つ横方向で表示することを表すように表示規則テーブルを変更してもよい。
【００６５】
［２−３］センサの種類
第１筐体１０と第２筐体２０の開き具合を検知するためのセンサの種類は歪みセンサに限られず、電磁結合式のアングルセンサ等の他の種類のセンサが採用されてもよい。
【００６６】
また、第１筐体１０及び第２筐体２０の傾きを検知するためのセンサの種類は加速度センサに限られず、ジャイロセンサ等の他の種類のセンサが採用されてもよい。
【００６７】
［２−４］スタイルの種類
スマートフォン１が取り得るスタイルは実施例で述べたものに限らない。例えば全開スタイルでも、床に置いたときのスタイル（基準方向Ａ１が鉛直上方を向く）と、手に持ったときのスタイル（基準方向Ａ１が水平方向よりやや鉛直上方を向く）とを異なるスタイルとしてもよい。
【００６８】
また、全閉スタイルでも、縦に持ったときのスタイル（基準方向Ａ２が鉛直上方の近くを向く）と、横に持ったときのスタイル（基準方向Ａ２が水平方向を向く）とを異なるスタイルとしてもよい。
【００６９】
［２−５］連結部
スマートフォン１のヒンジ３０は、ヒンジ角度が０度から３６０度まで変化するよう第１筐体１０及び第２筐体２０を回転可能に連結したが、その間の任意の範囲でヒンジ角度が変化するように連結してもよい。また、実施例では、ヒンジ３０が、ヒンジ角度が０度になったときに第１画面１１及び第２画面２１が外側を向くように第１筐体１０及び第２筐体２０を連結したが、その反対に、ヒンジ角度が０度になったときに第１画面１１及び第２画面２１が内側を向くように第１筐体１０及び第２筐体２０を連結してもよい。
【００７０】
［２−６］発明のカテゴリ
本発明は、スマートフォンに限らず、２画面を有する折り畳み可能な表示装置であれば、通話機能を備えなくてもよい。また、本発明は表示装置の他、表示装置が実施する処理を実現するための情報処理方法としても捉えられるし、２画面を有する折り畳み可能なコンピュータを、上述したスマートフォン１が備える機能構成部を備える表示装置として動作させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【００７１】
［２−７］処理手順等
本明細書で説明した各実施例の処理手順、シーケンス、フローチャートなどは、矛盾がない限り、順序を入れ替えてもよい。例えば、本明細書で説明した方法については、例示的な順序で様々なステップの要素を提示しており、提示した特定の順序に限定されない。
【００７２】
［２−８］入出力された情報等の扱い
入出力された情報等は特定の場所(例えばメモリ)に保存されてもよいし、管理テーブルで管理してもよい。入出力される情報等は、上書き、更新、又は追記され得る。出力された情報等は削除されてもよい。入力された情報等は他の装置へ送信されてもよい。
【００７３】
［２−９］ソフトウェア
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７５】
［２−１０］情報、信号
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７６】
［２−１１］「に基づいて」の意味
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７７】
［２−１２］「及び」、「又は」
本明細書において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【００７８】
［２−１３］態様のバリエーション等
本明細書で説明した各実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７９】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８０】
１…スマートフォン、２…プロセッサ、３…メモリ、４…ストレージ、５…通信装置、６…入力装置、７…出力装置、８…センサ群、９…バス、１０…第１筐体、１１…第１画面、１２…スピーカ口、１３…端部、２０…第２筐体、２１…第２画面、２２…端部、３０…ヒンジ、４０…本体、１００…操作部、１０１…選択部、１０２…実行部、１０３…開き具合検知部、１０４…傾き検知部、１０５…表示制御部、１０６…記憶部、１０７…表示部。
【図１】
2019067308.tif 000003
【図２】
2019067308.tif 000004
【図３】
2019067308.tif 000005
【図４】
2019067308.tif 000006
【図５】
2019067308.tif 000007
【図６】
2019067308.tif 000008
【図７】
2019067308.tif 000009
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
軸周りに回転可能に連結された第１筐体及び第２筐体と、
前記第１筐体に保持された第１画面及び前記第２筐体に保持された第２画面と、
複数のアプリケーションの中から選択されたアプリケーションに従う処理を実行する実行部と、
前記軸周りの回転に伴い変化する前記第１筐体と前記第２筐体の開き具合を検知する開き具合検知部と、
前記実行部によるアプリケーションに従う処理に伴い生成される画像を、前記第１画面及び前記第２画面のいずれか一方に表示させる表示態様と、前記第１画面及び前記第２画面の両方に表示させる表示態様のいずれかにより表示させる表示制御部と
を備え、
前記表示制御部は、前記開き具合検知部により検知された開き具合が第１の条件を満たす場合に、第１のアプリケーションに従う処理に伴い生成される画像を前記第１の条件に応じて前記第１のアプリケーションに関し定められた表示態様で表示させ、第２のアプリケーションに従う処理に伴い生成される画像を前記第１の条件に応じて前記第２のアプリケーションに関し定められた表示態様で表示させ、
前記表示制御部は、前記開き具合検知部により検知された開き具合が第２の条件を満たす場合に、前記第１のアプリケーションに従う処理に伴い生成される画像を前記第２の条件に応じて前記第１のアプリケーションに関し定められた表示態様で表示させ、前記第２のアプリケーションに従う処理に伴い生成される画像を前記第２の条件に応じて前記第２のアプリケーションに関し定められた表示態様で表示させる
表示装置。
【請求項２】
前記第１筐体及び前記第２筐体の鉛直方向に対する傾きを検知する傾き検知部
を備え、
前記表示制御部は、前記開き具合検知部により検知された開き具合と前記傾き検知部により検知された傾きとの組み合わせが前記第１の条件を満たす場合に、第１のアプリケーションに従う処理に伴い生成される画像を前記第１の条件に応じて前記第１のアプリケーションに関し定められた表示態様で表示させ、第２のアプリケーションに従う処理に伴い生成される画像を前記第１の条件に応じて前記第２のアプリケーションに関し定められた表示態様で表示させ、
前記表示制御部は、前記開き具合検知部により検知された開き具合と前記傾き検知部により検知された傾きとの組み合わせが前記第２の条件を満たす場合に、前記第１のアプリケーションに従う処理に伴い生成される画像を前記第２の条件に応じて前記第１のアプリケーションに関し定められた表示態様で表示させ、前記第２のアプリケーションに従う処理に伴い生成される画像を前記第２の条件に応じて前記第２のアプリケーションに関し定められた表示態様で表示させる
請求項１に記載の表示装置。
【請求項３】
前記表示制御部は、前記実行部によるアプリケーションに従う処理に伴い生成される画像を前記第１画面及び前記第２画面の中から選択した１つ又は２つの画面に表示させる際、当該アプリケーションに応じた方向で当該画像を表示させる
請求項１又は２に記載の表示装置。
【請求項４】
前記表示制御部は、前記実行部によるアプリケーションに従う処理に伴い生成される画像を前記第１画面及び前記第２画面の両方に表示させる場合、前記第１画面及び前記第２画面を１つの画面とみなして当該画像を表示させるか、もしくは、前記第１画面及び前記第２画面の各々に当該画像の全体を表示させるかを、当該アプリケーションに応じて決定する
請求項１乃至３のいずれか１項に記載の表示装置。
【手続補正２】
【補正対象書類名】明細書
【補正対象項目名】０００６
【補正方法】変更
【補正の内容】
【０００６】
上記目的を達成するために、本発明は、軸周りに回転可能に連結された第１筐体及び第２筐体と、前記第１筐体に保持された第１画面及び前記第２筐体に保持された第２画面と、複数のアプリケーションの中から選択されたアプリケーションに従う処理を実行する実行部と、前記軸周りの回転に伴い変化する前記第１筐体と前記第２筐体の開き具合を検知する開き具合検知部と、前記実行部によるアプリケーションに従う処理に伴い生成される画像を、前記第１画面及び前記第２画面のいずれか一方に表示させる表示態様と、前記第１画面及び前記第２画面の両方に表示させる表示態様のいずれかにより表示させる表示制御部とを備え、前記表示制御部は、前記開き具合検知部により検知された開き具合が第１の条件を満たす場合に、第１のアプリケーションに従う処理に伴い生成される画像を前記第１の条件に応じて前記第１のアプリケーションに関し定められた表示態様で表示させ、第２のアプリケーションに従う処理に伴い生成される画像を前記第１の条件に応じて前記第２のアプリケーションに関し定められた表示態様で表示させ、前記表示制御部は、前記開き具合検知部により検知された開き具合が第２の条件を満たす場合に、前記第１のアプリケーションに従う処理に伴い生成される画像を前記第２の条件に応じて前記第１のアプリケーションに関し定められた表示態様で表示させ、前記第２のアプリケーションに従う処理に伴い生成される画像を前記第２の条件に応じて前記第２のアプリケーションに関し定められた表示態様で表示させる表示装置を提供する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、上記の表示装置において、前記第１筐体及び前記第２筐体の鉛直方向に対する傾きを検知する傾き検知部を備え、前記表示制御部は、前記開き具合検知部により検知された開き具合と前記傾き検知部により検知された傾きとの組み合わせが前記第１の条件を満たす場合に、第１のアプリケーションに従う処理に伴い生成される画像を前記第１の条件に応じて前記第１のアプリケーションに関し定められた表示態様で表示させ、第２のアプリケーションに従う処理に伴い生成される画像を前記第１の条件に応じて前記第２のアプリケーションに関し定められた表示態様で表示させ、前記表示制御部は、前記開き具合検知部により検知された開き具合と前記傾き検知部により検知された傾きとの組み合わせが前記第２の条件を満たす場合に、前記第１のアプリケーションに従う処理に伴い生成される画像を前記第２の条件に応じて前記第１のアプリケーションに関し定められた表示態様で表示させ、前記第２のアプリケーションに従う処理に伴い生成される画像を前記第２の条件に応じて前記第２のアプリケーションに関し定められた表示態様で表示させる、という構成が採用されてもよい。